(57)【要約】【課題】端末機器のＣＰＵを高速化することなく伝送送効率を向上して高速伝送可能とする。【解決手段】受信機１は、端末機器１２−１，１２−２，１２−３…のアドレスＡ＝１〜ｎを順次繰り返し指定し、次に送信する端末アドレスに対し２つ前の端末アドレスを持つ端末機器からの応答信号の受信終了に同期して端末アドレスをもつ呼出信号の送信を開始する。端末機器は例えば端末機器１２−１をみると、自己アドレスに一致する端末アドレスＡ＝１をもつ呼出信号１４−１の受信で応答信号を送信するための内部処理１５−１を開始し、次の端末アドレスＡ＝２をもつ呼出信号１４−２の受信終了に同期して、内部処理１５−１に基づいて得られた応答信号１６−１の送信を開始する。【選択図】          図２
2004152061.tif 000002
【特許請求の範囲】
【請求項１】
受信機から引き出された伝送路に複数の端末機器を接続して火災などの異常を監視制御する防災監視システムに於いて、
前記受信機は、前記端末機器のアドレスを順次繰り返し指定し、送信先の端末アドレスを指定した際に、少なくとも２つ前の端末アドレスを持つ端末機器からの応答信号の受信終了に同期して前記指定した端末アドレスをもつ呼出信号の送信を開始し、
前記端末装置は、自己アドレスに一致する端末アドレスをもつ呼出信号を受信した際に、応答信号を送信するための内部処理を開始し、少なくとも１つ先の端末アドレスをもつ呼出信号の受信終了に同期して、前記内部処理に基づいて得られた応答信号の送信を開始することを特徴とする防災監視システム。
【請求項２】
受信機から引き出された伝送路に複数の端末機器を接続して火災などの異常を監視制御する防災監視システムの伝送方法に於いて、
前記受信機により、前記端末機器のアドレスを順次繰り返し指定し、送信先の端末アドレスを指定した際に、少なくとも２つ前の端末アドレスを持つ端末機器からの応答信号の受信終了に同期して前記指定した端末アドレスをもつ呼出信号の送信を開始し、
前記端末装置により、自己アドレスに一致する端末アドレスをもつ呼出信号を受信した際に、応答信号を送信するための内部処理を開始し、少なくとも１つ先の端末アドレスをもつ呼出信号の受信終了に同期して、前記内部処理に基づいて得られた応答信号の送信を開始することを特徴とする防災監視システムの伝送方法。
【発明の詳細な説明】
【０００１】
【発明の属する技術分野】
本発明は、受信機から引き出された伝送路に複数の端末機器を接続して火災などの異常を監視制御する防災監視システム及び伝送方法に関する。
【０００２】
【従来の技術】
従来、Ｒ型として知られた防災監視システムの受信機と端末機器間の通信においては、受信機は、端末機器のアドレスを順次繰り返し指定して端末アドレスをもつ呼出信号を送信し、端末機器は、自己アドレスに一致する端末アドレスをもつ呼出信号を受信すると、応答信号を送信するための内部処理を開始し、内部処理に基づいて得られた応答信号を送信するようにしている。
【０００３】
図７は従来の受信機と端末機器の間の伝送処理のタイムチャートである。受信機１００は例えば１〜１２７の端末アドレスを順次繰り返し指定して呼出信号１０４−１，１０４−２，１０４−３…を送信している。
【０００４】
受信機１００から送信されたアドレスＡ＝１をもつ呼出信号１０４−１は、各端末機器で受信されるが、端末機器１０２−１が自己アドレスに一致する端末アドレスをもつ呼出信号を受信判別すると、端末機器１０２−２の状態を応答するために必要な内部処理１０６−１を開始し、内部処理１０６−１が終了した時点で応答信号１０８−１を受信機に送信するようにしている。
【０００５】
以下同様に、端末アドレスＡ＝２，３，…が順次してされる毎に、呼出信号１０４−２，１０４−３，１０４−４…の送信、端末機器の内部処理１０６−２，１０６−３，１０６−４…、応答信号１０８−２，１０８−３，１０８−４…の送信を行っている。
【０００６】
【特許文献１】
特開平８−２５５２９４号公報
【特許文献２】
特開平５−２２５４７６号公報
【０００７】
【発明が解決しようとする課題】
しかしながら、このような従来の防災監視システムにおける伝送処理にあっては、自己アドレスに一致するアドレスをもつ呼出信号を受信した端末機器は、応答のための内部処理を行った後に受信機に対し応答信号を送出していたため、端末機器が信号を内部で処理している間、伝送路は使用されておらず、その分、伝送効率が低下し、伝送に時間がかかる問題がある。
【０００８】
そこで端末機器の内部処理に要する時間を短縮して伝送効率を高めることも考えられるが、端末機器に使用しているＣＰＵのクロックを高速クロックとする必要があり、高速クロックとすると端末機器の消費電流が増加してしまう問題がある。
【０００９】
本発明は、端末機器に使用しているＣＰＵを高速化することなく、伝送効率を向上して高速伝送を可能とする防災監視システム及び伝送方法を提供することを目的とする。
【００１０】
【課題を解決するための手段】
この目的を達成するため本発明は次のように構成する。本発明は、受信機から引き出された伝送路に複数の端末機器を接続して火災などの異常を監視する防災監視システムであって、受信機は、端末機器のアドレスを順次繰り返し指定し、送信先の端末アドレスを指定した際に、少なくとも２つ前の端末アドレスを持つ端末機器からの応答信号の受信終了に同期して指定した端末アドレスをもつ呼出信号の送信を開始し、端末機器は、自己アドレスに一致する端末アドレスをもつ呼出信号の受信下際に、応答信号を送信するための内部処理を開始し、少なくとも１つ先の端末アドレスをもつ呼出信号の受信終了に同期して、内部処理に基づいて得られた応答信号の送信を開始することを特徴とする。
【００１１】
このような本発明の防災監視システムによれば、伝送路には受信機からの呼出信号と端末機器からの応答信号が順次連続して伝送されていることとなり、伝送路に空き時間がないことから、その分、伝送を高速化できる。
【００１２】
また端末機器にあっては、自己アドレスに一致するアドレスをもつ呼出信号を受信して開始する内部処理の時間は、次の端末アドレスをもつ呼出信号の受信を終了するまでの（呼出信号伝送期間）＋（応答信号伝送期間）という十分に長い時間が確保され、このため端末機器に使用するＣＰＵのクロックを更に低速として消費電流を低減できる。
【００１３】
また本発明は、受信機から引き出された伝送路に複数の端末機器を接続して火災などの異常を監視する防災監視システムの伝送方法であって、
受信機により、端末機器のアドレスを順次繰り返し指定し、送信先の端末アドレスを指定した際に、少なくとも２つ前の端末アドレスを持つ端末機器からの応答信号の受信終了に同期して指定した端末アドレスをもつ呼出信号の送信を開始し、端末装置により、自己アドレスに一致する端末アドレスをもつ呼出信号の受信で応答信号を送信するための内部処理を開始し、少なくとも１つ先の端末アドレスをもつ呼出信号の受信終了に同期して、内部処理に基づいて得られた応答信号の送信を開始することを特徴とする。
【００１４】
【発明の実施の形態】
図１は本発明が適用される防災監視システムの説明図である。図１において、受信機１から引き出された伝送路２に対しては、感知器用中継器３、煙アナログ感知器４、熱アナログ感知器５及びガス漏れ用中継器６が、異常検出のための端末機器として接続されている。なお、各端末機器は一例として１台ずつを例にとるが、実際には１または複数台接続される。
【００１５】
感知器用中継器３からは感知器回線Ｌ１〜Ｌｎが引き出され、それぞれオンオフ型火災感知器１１を接続している。オンオフ型火災感知器１１は火災を検出すると感知器用中継器３からの感知器回線を短絡して発報電流を流し、これを感知器用中継器３で受信して火災と判断する。
【００１６】
煙アナログ感知器４は、煙検出部から得られた煙濃度に対応したアナログ検出信号を受信機１に送り、受信機１側で火災判断を行わせる。熱アナログ感知器６は熱感知部からのアナログ熱検出信号を受信機１に送って火災を判断させる。
【００１７】
ガス漏れ用中継器６にはガス漏れ漏れ検知器６ａが接続されており、ガス漏れ検知器６ａは図示しないＡＣ１００Ｖを電源とし、通常は６Ｖ、ガス漏れ検出で１２Ｖを出力し、この１２Ｖ出力でガス漏れ中継器６がガス漏れを判断する。
【００１８】
更に伝送路２には、必要に応じて図示しない地区ベルや防災機器などの制御負荷が制御用中継器を介して接続される。
【００１９】
受信機１には、ＭＰＵを用いた監視制御部７、伝送回路８、表示部９、操作部１０が設けられる。
【００２０】
受信機１の伝送回路８は、端末機器のアドレスを順次指定した呼出信号の送出によるポーリングで端末側の情報の収集を行う。例えば端末側には端末アドレスＡとしてＡ＝１〜１２７が設定されており、定常監視状態にあっては端末アドレスを順次繰り返し指定した呼出信号を送信して端末側を呼び出し、呼び出した端末から、そのとき検出している端末情報が応答信号として送信される。
【００２１】
ここで受信機１からの呼出信号は、伝送路２に対する電源電圧に呼出信号電圧を重畳させる電圧モードの信号送信であり、これに対し端末機器からの応答信号は電流モードの信号送信としている。
【００２２】
監視制御部７は伝送回路８によるポーリングで各端末から応答送信された情報に基づいて火災やガス漏れの判断を行う。このうち感知器用中継器３及びガス漏れ用中継器６からの応答信号は火災またはガス漏れの有無を直接表わしていることから、火災またはガス漏れであればそのまま、それぞれの異常に対応した受信表示を行う。
【００２３】
これに対し煙アナログ感知器４及び熱アナログ感知器５については、それぞれアナログ検出情報が応答送信されることから、監視制御部７でアナログ情報を閾値と比較し、火災の判断を行う。
【００２４】
受信機１からの伝送路２に接続された端末側には、例えば感知器用中継器３に示すように、伝送回路３ａ、ＣＰＵ３ｂ及びセンサ回路３ｃが設けられている。伝送回路３ａは受信機１の伝送回路８からの呼出信号を受信し、呼出信号の持つアドレスが自己アドレスと一致することを判別したときに呼出信号を取り込んで、呼出信号に含まれているコマンドを解読し、ＣＰＵ３ｂにおいて、応答に必要な例えばセンサ回路３ｃの検出状態に対する内部処理を行い、所定の応答タイミングで受信機１に対し応答信号を送出する。
【００２５】
この点は煙アナログ感知器４も同様であり、伝送回路４ａ、ＣＰＵ４ｂ及びセンサ回路４ｃを備えている。熱アナログ感知器５及びガス漏れ用中継器６についても、伝送回路及びＣＰＵは同じであり、センサ回路がそれぞれの検出異常に対応した検出機能を備えている。
【００２６】
図２は図１の防災監視システムにおける受信機１と端末側との間のタイムチャートである。図２において、受信機１は、端末のアドレスＡ＝１〜１２７を順次繰り返し指定して、呼出信号１４−１，１４−２，１４−３，１４−４，１４−５，…を伝送路２に送出している。
【００２７】
いま受信機１が端末アドレスＡ＝１とポーリングコマンドからなる呼出信号１４−１を伝送路に送出したとすると、全ての端末１２−１〜１２−ｎでこの呼出信号１４−１が受信されるが、端末１２−１において呼出信号１４−１のアドレスと自己アドレスとの一致が判別され、内部処理１５−１が開始される。
【００２８】
端末１２−１にあっては、受信機１で次のアドレスＡ＝２の呼出信号１４−２の伝送路２に対する送出が行われても、内部処理１５−１を継続しており、次のアドレスＡ＝２の呼出信号１４−２の送出が終了したタイミングで、内部処理１５−１の結果として得られた応答情報を含む応答信号１６−１を受信機１に対し送出する。
【００２９】
この端末１２−１における応答信号１６−１の送出と同時に、端末１２−２にあっては、呼出信号１４−２の持つアドレスＡ＝２と自己アドレスとの一致判別により内部処理１５−２を開始している。
【００３０】
端末１２−１より応答信号１６−１の送出が終了すると、受信機１は次のアドレスＡ＝３の呼出信号１４−３の送出を開始する。このとき端末１２−２にあっては内部処理１５−２が継続中である。以下同様にして、受信機１からの呼出信号１４−４，１４−５，…の送出、及び端末１２−２，１２−３，…側からの内部処理１５−２，１５−３，…に基づく応答信号１６−２，１６−３，…の送出が行われる。
【００３１】
このような図２の本発明の受信機と端末との間における伝送処理は、送信先の端末アドレスが指定された際に、２つ前の端末アドレスを持つ端末機器からの応答信号の受信終了に同期して、端末アドレスを持つ呼出信号の送信を開始していることが分かる。
【００３２】
例えば受信機１は、送信先の端末アドレスとして端末１２−３に対するアドレスＡ＝３を指定した際には、この端末アドレスＡ＝３に対し２つの前の端末アドレスＡ＝１を持つ端末１２−１からの応答信号１６−１の受信終了に同期して、端末アドレスＡ＝３を持つ呼出信号１４−３の送信を開始している。
【００３３】
これに対し端末側は、例えば端末１２−２のように、自己アドレスに一致する端末アドレスを持つ呼出信号１４−２の受信した際に、応答信号を送信するための内部処理１５−２を開始し、次のアドレスＡ＝３を持つ呼出信号１４−３の受信終了に同期して内部処理１５−２に基づいて得られた応答信号１６−２の送信を開始していることが分かる。
【００３４】
このような本発明における伝送処理により、伝送路２に対しては受信機１からの呼出信号と各端末からの応答信号が交互に送出され、伝送路に空き時間がなく、このため図７に示した従来の伝送処理のような空き時間が伝送路に存在することによる伝送効率の低下がなく、受信機と端末間で、より高速伝送を行うことができる。
【００３５】
また端末側で内部処理を行うことのできる時間は、例えば図２の端末１２−１を見ると、１つ前の端末１２−ｎの応答信号１６−ｎと次のアドレスの呼出信号１４−１の２つの信号送出期間を加算した期間となり、端末における内部処理のための時間は十分な余裕を持つことになる。このため、端末に設けているＣＰＵとして低速クロックのものを使用することができ、低速クロックの使用により端末側の消費電流を低減することができる。
【００３６】
図３は図２の受信機と端末間で伝送される呼出信号及び応答信号の基本的な伝送フォーマットを示している。
【００３７】
図３の伝送フォーマットは、１ビットのスタートビット１７、８ビットのデータビット１８、１ビットのパリティビット１９及び１ビットのエンドビット２０で構成された１１ビットのデータであり、この１１ビットのデータを１バイトデータとして処理する。
【００３８】
図２の受信機１からの呼出信号１４−１，１４−２，１４−３，…は、図３の１バイトデータを例えば３回連続して伝送する３バイトデータであり、一方、端末１２−１〜１２−ｎ側からの応答信号１６−１〜１６−ｎは、図３の１バイトデータを２回続けて伝送する２バイトデータとしている。
【００３９】
したがって、端末１２−１〜１２−ｎにおける内部処理１５−１〜１５−ｎの時間は、呼出信号３バイトと応答信号２バイトを合わせた５バイト（５５ビット）分の時間を確保することができる。
【００４０】
図４は図１の受信機１に設けた伝送回路８による受信機処理のフローチャートである。この受信機処理にあっては、ステップＳ１でアドレス初期化を行った後、ステップＳ２で初期化済みのアドレスを持つ呼出信号を送信する。続いてステップＳ３で２つ前のアドレスを持つ端末からの応答信号の受信をチェックしている。
【００４１】
２つ前のアドレスを持つ端末からの応答信号が受信されると、ステップＳ４で応答データを保存した後、ステップＳ５で応答信号の受信終了をチェックしている。応答信号の受信が終了すると、ステップＳ６でアドレスを１つ増加した後、増加したアドレスの呼出信号をステップＳ７で送信する。
【００４２】
続いてステップＳ８で最終アドレスか否か判定しており、最終アドレスでなければステップＳ３に戻り、現在のアドレスに対する２つ前のアドレスの応答信号の受信を待つ処理に戻って、これを繰り返す。ステップＳ８で最終アドレスであった場合には、ステップＳ１に戻り、アドレスを初期化した後、ステップＳ２からの処理を繰り返す。
【００４３】
図５は図１の端末側における端末処理のフローチャートである。この端末処理にあっては、ステップＳ１で受信機からの呼出信号の受信をチェックしており、呼出信号を受信すると、ステップＳ２で自己アドレスとの一致の有無を判別し、一致すれば、ステップＳ３で内部処理を開始する。
【００４４】
続いてステップＳ４で次のアドレスの呼出信号の受信をチェックしており、次のアドレスの呼出信号の受信を判別すると、ステップＳ５で呼出信号の受信終了を判別して、ステップＳ６で応答信号を送信する。以下同様に、ステップＳ１からの処理を繰り返す。
【００４５】
図６は本発明の伝送処理の他の実施形態であり、自己アドレスに一致する呼出信号を受信してから２つ先のアドレスの呼出信号を受信するまで応答を延ばして内部処理時間を長くしたタイムチャートである。
【００４６】
この実施形態は、受信機は、送信先の端末アドレスを指定した際に、３つ前の端末アドレスを持つ端末機器からの応答信号の受信終了に同期して指定した端末アドレスをもつ呼出信号の送信を開始し、これに対し端末機器は、自己アドレスに一致する端末アドレスをもつ呼出信号を受信した際に、応答信号を送信するための内部処理を開始し、２つ先の端末アドレスをもつ呼出信号の受信終了に同期して、内部処理に基づいて得られた応答信号の送信を開始している。
【００４７】
例えば受信機１が送信先として端末１２−４の端末アドレスＡ＝４を指定した際は、３つ前の端末アドレスＡ＝１を持つ端末１２−１からの応答信号１６−１の受信終了に同期して指定した端末アドレスＡ＝４をもつ呼出信号１４−４の送信を開始する。
【００４８】
これに対し端末側は、例えば端末１２−３のように、自己アドレスＡ＝３に一致する端末アドレスをもつ呼出信号１４−３を受信した際に、応答信号を送信するための内部処理１５−３を開始し、２つ先の端末アドレスＡ＝５をもつ呼出信号１４−５の受信終了に同期して、内部処理１５−３に基づいて得られた応答信号１６−３の送信を開始している。
【００４９】
この場合の内部処理に割当てることのできる時間は、（呼出信号期間）＋（応答信号期間）の２倍の時間となり、呼出信号を３バイト、応答信号を２バイトとすると、１０バイト（１１０ビット）分の時間に拡大できる。
【００５０】
このような内部処理の時間の拡大を行った場合、アドレスＡ＝１〜１２７の呼出周期に対し応答周期が図２に対し（呼出信号期間）＋（応答信号期間）分だけ遅延するに過ぎず、この程度の遅延はリアルタイム監視では問題とはならない。
【００５１】
尚、他の実施形態として、受信機側の呼出信号の送信を開始を、指定した送信先の端末アドレスより４つ前、５つ前…と更に増やし、これに対応して端末側での内部処理に基づいて得られた応答信号の送信を開始を、３つ先、４つ先…と増やした端末アドレスをもつ呼出信号の受信終了に同期して行うことで、更に、内部処理の時間を拡大しても良い。
【００５２】
また、端末から応答信号の中に端末アドレスを含めて送信するようにしても良く、こうすることで受信機との伝送においてどの端末からの応答信号なのか確実に把握することができ、受信機内の処理において間違った処理を防ぐことができる。
【００５３】
【発明の効果】
以上説明してきたように本発明によれば、伝送路に受信機からの呼出信号と端末機器からの応答信号が順次連続して伝送されていることとなり、伝送路に空き時間がないことから、その分、高速伝送を行うことができる。
【００５４】
また端末機器にあっては、自己アドレスに一致するアドレスを持つ呼出信号を受信してから次の端末アドレスを持つ呼出信号の受信を終了するまで内部処理に必要な時間を確保することができ、少なくとも呼出信号と応答信号の伝送期間を加えた時間という十分に長い内部処理の時間を確保でき、このため端末機器に使用するＣＰＵのクロックを低速として消費電流を低減することができる。
【図面の簡単な説明】
【図１】本発明が適用される防災監視システムの説明図
【図２】本発明の実施形態となる伝送処理のタイムチャート
【図３】本発明で使用する伝送フォーマットの説明図
【図４】図１における本発明の受信機処理のフローチャート
【図５】図１における本発明の端末処理のフローチャート
【図６】本発明の他の実施形態となる伝送処理のタイムチャート
【図７】従来の伝送処理のタイムチャート
【符号の説明】
１：受信機
２：伝送路
３：感知器用中継器
３ａ，４ａ，８：伝送回路
３ｂ，４ｂ：ＣＰＵ
３ｃ，４ｃ：センサ回路
４：煙アナログ感知器
５：熱アナログ感知器
６：ガス漏れ用中継器
６ａ：ガス漏れ検知器
７：監視制御部
９：表示部
１０：操作部
１１：オンオフ型火災感知器
１２−０〜１２−ｎ：端末機器
１４−０〜１４−ｎ：呼出信号
１５−０〜１５−ｎ：内部処理
１６−０〜１６−ｎ：応答信号
１７：スタートビット
１８：データビット
１９：パリティビット
２０：エンドビット
【図１】
2004152061.tif 000003
【図２】
2004152061.tif 000004
【図３】
2004152061.tif 000005
【図４】
2004152061.tif 000006
【図５】
2004152061.tif 000007
【図６】
2004152061.tif 000008
【図７】
2004152061.tif 000009